(57)【要約】【課題】  吸込みヘッドに取付けられた回転体及びそのまわりに被掃除面上の塵が付着し難い掃除機用吸込み口体を提供する。【解決手段】  吸込み口体１１は、吸込み室１９を有した吸込みヘッド１２と、このヘッドに支持されて被掃除面に接した状態で回転される前車輪（回転体）２７とを具備する。前車輪２７を吸込みヘッド１２に対して回転自由に支持する支持部の下方に連通溝３１を設ける。連通溝３１の一端は吸込み室１９に連続し、連通溝３１の他端は前車輪２７の下端部側面に対向している。連通溝３１の上側でかつ前車輪２７とこの前車輪に対向した吸込みヘッド１２の壁部との間に連通溝３１の他端に連続する第１の空隙を設ける。この第１の空隙に連続しかつ前車輪２７の側方に開放する第２の空隙Ｇ２を前車輪２７の周面との間に形成するカバー部３５を、前車輪２７の周方向に沿って吸込みヘッド１２に設けたことを特徴としている。【選択図】図６
2011041748.tif 000002
【特許請求の範囲】
【請求項１】
被掃除面に対向する吸込み室を有した吸込みヘッドと、この吸込みヘッドに支持されて前記被掃除面に接した状態で回転される回転体とを具備した掃除機用吸込み口体において、
前記回転体を前記吸込みヘッドに対して回転自由に支持する支持部の下方に、一端が前記吸込み室に連続するとともに他端が前記回転体の下端部側面に対向する連通溝を設け、この連通溝の上側でかつ前記回転体とこの回転体に対向した前記吸込みヘッドの壁部との間に前記連通溝の他端に連続する第１の空隙を設けるとともに、この第１の空隙に連続しかつ前記回転体の側方に開放する第２の空隙を前記回転体の周面との間に形成するカバー部を前記回転体の周方向に沿って前記吸込みヘッドに設けたことを特徴とする掃除機用吸込み口体。
【請求項２】
前記カバー部が、前記回転体の後部周面又は前部周面から上端部周面にわたって前記回転体の周面を覆っていることを特徴とする請求項１に記載の掃除機用吸込み口体。
【請求項３】
前記回転体が、前記吸込み室を間において前記吸込みヘッドの長手方向両端部にそれぞれ支持された車輪であることを特徴とする請求項１又は２に記載の掃除機用吸込み口体。
【請求項４】
前記車輪の前端が前記吸込みヘッドの前面部に取付けられたバンパーの前端の位置と略同じ位置となるように前記車輪の大きさが形成されているとともに、この車輪の少なくとも周部が軟質材料で形成されていて、この車輪の幅が前記カバー部の前記車輪の外周に正対する部位の幅より大きく、かつ、前記車輪の前部周面又は後部周面が前記カバー部外に配設されていることを特徴とする請求項３に記載の掃除機用吸込み口体。
【請求項５】
前記被掃除面に接する第１のシール部材が、前記連通溝の前側又は後側に位置された前記カバー部の下端部に取付けられていることを特徴とする請求項１から４の内のいずれか一項に記載の掃除機用吸込み口体。
【請求項６】
前記被掃除面に接する第２のシール部材が、前記連通溝を境に前記第１のシール部材と反対側に位置して前記吸込みヘッドに取付けられていることを特徴とする請求項５に記載の掃除機用吸込み口体。
【請求項７】
前記吸込み室に回転清掃体が支持され、この回転清掃体の回転に連動して前記回転体が回転されるとともに、この回転体の周部がブラシ毛で形成されていて、このブラシ毛による被掃除面の塵の掻き出し側に前記カバー部が設けられていることを特徴とする請求項２から６の内のいずれか一項に記載の掃除機用吸込み口体。
【請求項８】
吸塵口を有した掃除機本体と、
前記吸塵口に接続された吸塵ホース、この吸塵ホースの先端部に接続された延長管、及びこの延長管の先端部に接続された請求項１から７の内のいずれか一項に記載の吸込み口体を有した吸塵風路体と、
を具備したことを特徴とする電気掃除機。
【発明の詳細な説明】
【技術分野】
【０００１】
本発明は、被掃除面に接して回転される回転体が取付けられた吸込みヘッドを備える掃除機用吸込み口体、及びこの吸込み口体を具備する電気掃除機に関する。
【背景技術】
【０００２】
底面にほぼ長手方向全幅にわたる吸込口が形成された吸込具本体内に、略円筒形状の回転ブラシ収納室を形成するとともに、この収納室に回転ブラシを吸込み口に臨んで収納し、更に、吸込具本体の長手方向両側の夫々に前車輪が取付けられた電気掃除機用の床用吸込具が知られている（例えば、特許文献１参照。）。
【０００３】
前記前車輪を吸込具本体に装着するために、吸込具本体の長手方向両側に筒状の軸支部が形成されていて、この支持部に前車輪が回転自在に支持されている。そして、この特許文献１の床用吸込具では、軸支部を介して回転ブラシ収納室内に外気が吸引されることを防止するために、吸込具本体の下ケースから立設した区画リブと吸込具本体の蓋体から垂下された区画リブとで、軸支部と回転ブラシ収納室内とが区画されている。
【先行技術文献】
【特許文献】
【０００４】
【特許文献１】特開２０００−１２６０９９号公報（段落0017−0020、0034、図１、図４−図５）
【発明の概要】
【発明が解決しようとする課題】
【０００５】
しかし、特許文献１に記載の技術では、前車輪を支持した軸支部と回転ブラシ収納室との間に設けられた区画リブが、前車輪と回転ブラシ収納室内とを区画しているので、回転ブラシ収納室内の負圧は前車輪に対して殆ど波及しない。
【０００６】
前車輪は、被掃除対象の部屋の床面(被掃除面)に接して回転されるので、その周面に被掃除面上の塵等が付着する。そのため、付着する塵が髪の毛や糸屑のように細長く柔軟な塵である場合、その前車輪から外れた部分が、前車輪とともに回転されるに伴い、同部分が前車輪の車軸である軸支部に巻き付くことがある。こうして前車輪まわりに対する塵の付着が進行すると、前車輪まわりが塵で汚れた状態になり好ましくないだけではなく、車軸に巻き付いた塵によって、前車輪の回転不良を招く恐れがある。
【０００７】
以上のように従来技術では、吸込具本体に回転自在に取付けられた車輪及びそのまわりに被掃除面上の塵が付着し易い、という課題がある。
【課題を解決するための手段】
【０００８】
本発明は、吸込み室を有した吸込みヘッドに支持されて被掃除面に接した状態で回転される回転体を、吸込みヘッドの支持部に回転自由に支持し、一端が吸込み室に連続するとともに他端が回転体の下端部側面に対向する連通溝を、支持部の下方に設ける。更に、連通溝の上側でかつ回転体とこの回転体に対向した吸込みヘッドの壁部との間に連通溝の他端に連続する第１の空隙を設ける。これとともに、第１の空隙に連続しかつ回転体の側方に開放する第２の空隙を回転体の周面との間に形成するカバー部を、回転体の周方向に沿って吸込みヘッドに設けたことを特徴としている。
【発明の効果】
【０００９】
本発明によれば、吸込みヘッドに回転自在に取付けられて被掃除面に接した状態で回転される回転体及びそのまわりの外気を、連通溝に通して吸込みヘッドの吸込み室に吸引できることにより、回転体及びそのまわりに被掃除面上の塵が付着し難い掃除機用吸込み口体を提供できる、という効果がある。
【図面の簡単な説明】
【００１０】
【図１】本発明の第１の施例の形態に係る電気掃除機を示す斜視図である。
【図２】図１の電気掃除機が備えた本発明の第１の施例の形態に係る吸込み口体を示す斜視図である。
【図３】図２の吸込み口体を示す正面図である。
【図４】図２の吸込み口体を示す下面図である。
【図５】図２の吸込み口体の長手方向一端部を拡大して示す下面図である。
【図６】図５に示した一端部を斜め上向きに見た状態で示す斜視図である。
【図７】図５に示した一端部を示す側面図である。
【図８】図５に示した一端部を斜め下向きに見た状態で示す斜視図である。
【図９】回転清掃体の一部を省略した状態で図４中矢印Ｆ９−Ｆ９線に沿って示す断面図である。
【図１０】本発明の第２の施例の形態に係る吸込み口体を示す図９相当の断面図である。
【図１１】本発明の第３の施例の形態に係る吸込み口体を示す斜視図である。
【発明を実施するための形態】
【００１１】
以下、図１〜図９を参照して本発明の第１の実施の形態について、詳細に説明する。
【００１２】
図１中符号１は第１実施形態に係る吸込み口体１１を備えた例えばキャニスタ型の電気掃除機を示している。この電気掃除機１は、掃除機本体２と、吸塵風路体５とを具備している。
【００１３】
本体車輪３が取付けられた掃除機本体２の後部に電動送風機４が内蔵されている。掃除機本体２の前部は電動送風機４の上流側となっており、この前部には図示しない塵分離手段及びこの手段で分離された塵を溜める集塵部等が設けられている。塵分離手段には、そこに吸引された塵の慣性エネルギーを利用して塵と空気を分離するサイクロン式等の慣性分離式の塵分離装置を好適に用いることができるが、紙パックを用いてもよく、或いは粗塵を空気から分離する紙パックと、粗塵以外の塵を慣性分離により空気と分離する塵分離装置を併用した塵分離手段とすることも可能である。
【００１４】
吸塵風路体５は、可撓性の吸塵ホース６と、延長管７と、吸込み口体１１とを備えている。吸塵ホース６の一端部６ａは、例えば掃除機本体２がその前部上面に備える開閉蓋２ａに設けた吸塵口２ｂに、取外し可能に差込み接続されている。この接続により吸塵ホース６内と前記塵分離手段とが連通される。延長管７が着脱可能に嵌合して連結される吸塵ホース６の他端部（先端部）６ｂに、延長管７を介して吸込み口体１１を移動操作するためのハンドル８が設けられている。このハンドル８に電動送風機４の運転等を指令する手元スイッチ９が取付けられている。
【００１５】
延長管７は外管７ａと内管７ｂとを例えば伸縮可能に組み合わせて形成されている。外管７ａは吸塵ホース６の他端部６ｂに着脱可能に嵌合されている。この外管７ａの他端（先端）から突出された内管７ｂの先端部７ｃに、後述する吸込み口体１１の接続管１３が着脱可能に嵌合されている。
【００１６】
電動送風機４の運転に伴い、吸込み口体１１の下面に開口している後述の吸込み開口１１ａを通って吸込まれた含塵空気が、吸込み口体１１、延長管７、吸塵ホース６を、この記載順に通過して掃除機本体２内に導かれる。それにより、掃除機本体２内で空気と塵が分離されて、塵が集塵部内に溜められる一方で、電動送風機４に吸込まれるとともにこの電動送風機４から排出された空気が掃除機本体２の外部に放出される。
【００１７】
次に、吸込み口体１１について説明する。吸込み口体１１は、掃除対象である部屋の絨毯面、畳面、フローリング床面等の被掃除面を掃除するのに好適な床用である。図２及び図４等に示すように吸込み口体１１は、吸込みヘッド１２の後側中央部に接続管１３を自在継手部により連結して表側及び裏側から見た形状が略Ｔ字状をなしている、これとともに吸込み口体１１は、合成樹脂製の吸込みヘッド１２に、バンパー２０、回転清掃体２３、回転体例えば左右一対の前車輪２７、第１のシール材４１、第２のシール材４３、及び一個の後車輪４６等を取付けて形成されている。
【００１８】
吸込みヘッド１２は、図９に示すように上ケース１５と、被掃除面に対向する下ケース１６（図４〜図６参照）と、これらの間に挟着された中ケース１７とを有している。上ケース１５は主として吸込みヘッド１２の上壁部と後壁部を担う第１の外郭部材であり、下ケース１６は主として吸込みヘッド１２の底壁を担う第２の外郭部材である。図４に示すように下ケース１６は、後向き突出部１６ａを有した下ケース本体１６ｂと、この下ケース本体１６ｂに着脱可能な一対の下ケース端部材１６ｃを有している。
【００１９】
後向き突出部１６ａは下ケース本体１６ｂの長手方向中央部から後向きに突出されている。一対の下ケース端部材１６ｃは下ケース本体１６ｂの長手方向両端部に夫々配置されていて、これらと下ケース本体１６ｂとで、吸込みヘッド１２の左右方向、つまり、長手方向に延びる１１ａ（図４及び図９参照）が形成されている。
【００２０】
下ケース端部材１６ｃの前端部は吸込み口体１１の前方に臨むように上向きに曲がっている。それにより、吸込み開口１１ａは吸込み口体１１の下面から前面にわたって開放されていて、吸込み口体１１の前方からも吸塵できるように設けられている。
【００２１】
図４〜図６中符号１８はコイン等を用いて回転操作が可能なねじを示している。ねじ１８は、下ケース端部材１６ｃを上向きに貫通して、上ケース１５又は中ケース１７に設けられた図示しないねじ受け部に挿脱可能にねじ込まれている。ねじ１８を締め付けることにより下ケース端部材１６ｃが取付けられ、このねじ１８を外すことにより下ケース端部材１６ｃを取外せるようになっている。
【００２２】
中ケース１７は吸込みヘッド１２の内部に吸込み室１９（図４及び図９等参照）を形成して設けられている。吸込み室１９は、下ケース１６の吸込み開口１１ａにその上側から臨んでいる。これら吸込み室１９と吸込み開口１１ａは、吸込みヘッド１２の左右方向、つまり、長手方向に延びて形成されている。
【００２３】
図９中符号２５は前記自在継手部のヘッド側継手部材を示している。ヘッド側継手部材２５は吸込み室１９の長手方向中央位置で吸込み室１９内に連通されている。更に、このヘッド側継手部材２５は後向きに突出されていて、接続管１３の図示しない管側継手部材に接続されている。
【００２４】
バンパー２０は、ゴムやエラストマ等からなり、図２〜図４に示すように、吸込みヘッド１２に、この吸込みヘッド１２の前面部を覆って装着されている。このバンパー２０は吸込みヘッド１２の長手方向に延びていて、その下側の縁は、吸込み開口１１ａの前端を上側から仕切っている。
【００２５】
図９に示すように回転清掃体２３は、回転軸２３ａの外周に軟質材からなるブレード等の清掃部材２３ｂを複数例えばねじった状態に取付けて形成されている。回転清掃体２３はその回転軸２３ａの両端部を夫々吸込みヘッド１２の軸受け部２４に支持させて、吸込み室１９に回転可能に支持されている。この回転清掃体２３は、本実施形態の場合、吸込み室１９を通過する気流の力で回転されるようになっている。なお、これに代えて、吸込みヘッド１２に清掃体電動機を収容して、この電動機の動力を伝動機構により回転軸に導くことにより、回転清掃体２３を回転駆動させるようにすることもできる。
【００２６】
軸受け部２４は、例えば中ケース１７と下ケース端部材１６ｃとで形成されているとともに、回転軸２３ａの端部を回転可能に上下から挟んでいる。そのため、下ケース端部材１６ｃが外された場合には、必要に応じて回転清掃体２３を吸込み室１９から取出すことができる。
【００２７】
前車輪２７は吸込み口体１１の長手方向両端部に夫々回転自在に取付けられている。すなわち、吸込みヘッド１２は、図９に示すように左右一対の支持部２８を有している。これら支持部２８は、上ケース１５又は中ケース１７に一体に設けられてよく、或いは上ケース１５又は中ケース１７とは別に成形されて、これら上ケース１５又は中ケース１７に連結されていても良い。支持部２８は、例えば中ケース１７の長手方向の端壁１７ａに対向しているとともに、端壁１７ａから遠ざかる方向に突出する支持軸２８ａを有している。支持軸２８ａは回転することがない固定の軸であり、この支持軸２８ａに軸受２９を介して前車輪２７が回転自在に支持されている。軸受２９は前車輪２７に内蔵されている。
【００２８】
前車輪２７の少なくとも周部２７ａは、軟質塩化ビニル、ゴム、エラストマ、又は起毛布等の軟質材料で形成されている。前車輪２７の直径は吸込み口体１１の長手方向両端部の厚みに略等しい。これとともに、図４及び図７に示すように吸込みヘッド１２に対する前車輪２７の前端２７ｂの位置が、吸込みヘッド１２に対するバンパー２０の前端２０ａと略同じ位置となるような大きさに前車輪２７が形成され、かつ、配設されている。ここに前記「略同じ位置」とは、吸込み口体１１が移動される際室内の壁等にバンパー２０が当たって後側に弾性変形した直後に、前車輪２７の前端２７ｂが前記室内の壁等に当たるように前車輪２７が配設された位置関係を指している。図４及び図７中符号Ｌは、吸込み口体１１の前後方向についての前車輪２７の前端２７ｂとバンパー２０の前端２０ａとの位置の差をしめしている。
【００２９】
図９に示すように吸込みヘッド１２は前車輪２７の側面に近接して対向する垂直状の壁部１２ａを有している。壁部１２ａは、上ケース１５と下ケース１６に一体に形成されていて、これらの間を貫通するように支持部２８が設けられている。この壁部１２ａと前車輪２７の側面との間に第１の空隙Ｇ１が形成されている。第１の空隙Ｇ１は縦方向に沿って設けられていて、その上下方向中間の一部を支持部２８が横切っている。
【００３０】
吸込みヘッド１２は左右一対の連通溝３１を有している。即ち、連通溝３１は、支持部２８の下方に位置して下ケース１６の下ケース端部材１６ｃに形成されている。ここに、「支持部２８の下方」とは、連通溝３１がその少なくとも一部を支持部２８の真下に位置させて設けられていることを指しており、連通溝３１全体を支持部２８の真下に設けることが好ましい。本実施形態においては、図７に示すように前車輪２７の中心を通る垂線Ｖより後側に僅かにずらして設けられていて、その大部分が支持部２８の直下に位置されている。連通溝３１は、吸込みヘッド１２の下面、具体的には下ケース端部材１６ｃの下面に開放されていて、吸込み口体１１の使用時に被掃除面に対向するようになっている。
【００３１】
図４及び図５に示すように連通溝３１の一端３１ａは、吸込み室１９に開放されていて、この吸込み室１９連通溝３１が連続されている。連通溝３１の他端３１ｂは、開放されていて、前車輪２７の下端部側面に対向している。この連通溝３１の他端３１ｂは一端３１ａより吸込みヘッド１２の後側に向けて広く形成されているとともに、前記第１の空隙Ｇ１の下端部に連続している。
【００３２】
図４、図５を除く図２〜図９に示すように吸込みヘッド１２には、前車輪２７の周面との間に第２の空隙Ｇ２を形成するカバー部３５が、前車輪２７の周方向に沿って設けられている。即ち、本実施形態では、カバー部３５が、前車輪２７の後部周面から上端部周面にわたって前車輪２７の周面を覆って、上ケース１５の長手方向両端部に一体に形成されている。そのため、前車輪２７の前部周面は、カバー部３５で覆われることなく、このカバー部３５の外に配設されている。
【００３３】
第２の空隙Ｇ２は、第１の空隙Ｇ１に対向した前車輪２７の側面とは反対側の前車輪２７の外部側方に開放されているとともに、この開放された側と反対側が前記第１の空隙Ｇ１の上端に連続している。したがって、前車輪２７の外部側方に開放された第２の空隙Ｇ２は、第１の空隙Ｇ１及び連通溝３１を経由して吸込み室１９に連通されている。
【００３４】
図３及び図９に示すように前車輪２７の幅Ｗ１は、カバー部３５の前車輪２７の外周に正対する部位の幅Ｗ２より大きい。これにより、第１の空隙Ｇ１に対向した前車輪２７の側面とは反対側の前車輪２７の側面部は、カバー部３５で覆われることなく、このカバー部３５の外に配設されている。更に、図２及び図８に示すようにカバー部３５の上部の幅は、前車輪２７の上端に対向するカバー部３５の例えば前に向いた先端部に向けて次第に狭く形成されている。
【００３５】
第１のシール材４１は、連通溝３１の後側、より正確には図４及び図５に示すように連通溝３１の他端３１ｂの後側に位置して吸込みヘッド１２に取付けられている。具体的には、下ケース１６の下ケース端部材１６ｃに、これと一体にブラケット部１６ｄが形成されている。ブラケット部１６ｄはカバー部３５の下端部に下側から連続して配置されていて、このブラケット部１６ｄに下方に突出する第１のシール材４１が装着されている。第１のシール材４１は、起毛布、又は比較的短いブラシ毛、或いは布等からなり、吸込み口体１１がフローリング床面等の被掃除面に置かれた際にこの被掃除面に接するように設けられている。第１のシール材４１は連通溝３１の一端３１ａから他端３１ｂにわたる長さに相当する長さを有して設けることが好ましい。
【００３６】
第２のシール材４３は、連通溝３１を境に第１のシール材４１とは反対側、例えば連通溝３１の前側に位置して吸込みヘッド１２に取付けられている。具体的には、下ケース１６の下ケース端部材１６ｃの前部に、例えば、この前部の下面から前面にわたって装着されている。この第２のシール材４３も、起毛布、又は比較的短いブラシ毛、或いは布等からなり、吸込み口体１１がフローリング床面等の被掃除面に置かれた際にこの被掃除面に接するように設けられている。
【００３７】
前車輪２７より後方に位置して吸込みヘッド１２の底壁に後車輪４６が支持されている。具体的には、下ケース１６の後向き突出部１６ａに後車輪４６が回転自在に取付けられている。この後車輪４６と前記一対の前車輪２７は、吸込み口体１１が被掃除面に置かれた状態で被掃除面に接触して、下ケース１６の下面が被掃除面に対して略平行となるように保持するために設けられている。これとともに、後車輪４６及び前車輪２７は、被掃除面に接した状態で掃除操作により延長管７で押し引きされる吸込み口体１１の移動に伴い回転されて、吸込み口体１１の移動を円滑にするために用いられている。
【００３８】
掃除の際、電動送風機４の運転により生じる吸込み力が、吸込み口体１１の吸込み室１９に波及し、吸込み開口１１ａを通って被掃除面上の含塵空気が吸込み口体１１に吸込まれるに伴い、この時の風力で回転清掃体２３が回転される。このため、清掃部材２３ｂによる被掃除面から塵を掻き出しながら、この塵を空気と共に吸込むことができる。
【００３９】
この掃除において、吸込み力は吸込み室１９に連通している連通溝３１にも波及する。この連通溝３１の他端３１ｂは前車輪２７の下端部側面に対向しているため、被掃除面に接している前車輪２７の下端部付近の塵を、連通溝３１を経由して吸込み室１９に吸引できる。
【００４０】
この場合、連通溝３１の他端３１ｂの真上に位置している支持部２８は、第１の空隙Ｇ１から連通溝３１の他端３１ｂに吸い込まれる気流の一部を妨げる。このため、連通溝３１を通る気流の速度が上がって、前車輪２７の下端部付近の塵を吸引する力が高められる。
【００４１】
しかも、吸込みヘッド１２の下ケース１６に装着されて被掃除面に接する第１のシール材４１及び第２のシール材４３は、吸込み口体１１の移動に伴い被掃除面を擦るので、それに伴い被掃除面に付着している塵を取除くことができる。その上、第１のシール材４１は連通溝３１に対してその後側から吸い込まれる空気の流れを遮る前側遮風部として機能する。同様に、第２のシール材４３は連通溝３１に対してその前側から吸い込まれる空気の流れを遮る前側遮風部として機能する。このため、第１のシール材４１及び第２のシール材４３の内の少なくとも一方があるだけでも、連通溝３１を通る気流の速度が上がって、前車輪２７の下端部付近の塵を吸引する力が高められる。
【００４２】
したがって、以上のように前車輪２７の下端部付近の塵を吸引できることにより、前車輪２７の周面に被掃除面上の塵が付着することを抑制できる。
【００４３】
更に、既述のように連通溝３１の他端３１ｂが前車輪２７の下端部側面に対向していて、この他端３１ｂに上側から第１の空隙Ｇ１が連続しているため、第１の空隙Ｇ１にも吸込み力が波及する。これにより、カバー部３５と前車輪２７の周面との間に形成されて第１の空隙Ｇ１に連通している第２の空隙Ｇ２を入口として、外気が第１の空隙Ｇ１に吸込まれ、更に、連通溝３１に経由して吸込み室１９に吸込まれる。
【００４４】
こうした外気の吸引に伴い、前車輪２７の下端部付近での塵を吸引に拘らず前車輪２７の外周に付着した塵を、付着した直後に第２の空隙Ｇ２を通過する気流によって除去することが可能である。こうして除去された塵は第１の空隙Ｇ１及び連通溝３１を順次経由して吸込み室１９に吸込まれる。
【００４５】
以上のように前車輪２７まわりの空気を連通溝３１に経由させて吸込み室１９に吸引できるので、この前車輪２７に被掃除面上の塵を付着し難くできる。
【００４６】
それだけではなく、第１の空隙Ｇ１及び第２の空隙Ｇ２の大半は連通溝３１より上側に在るので、連通溝３１の真上に位置する支持部２８のまわりには、その上側から下側に向けて吸込み気流が流れる。この下向き気流には塵が含まれる可能性が極めて少ない。この下向き気流により、被掃除面上の髪の毛等、又は回転される前車輪２７に付着して持ち上げられようとする髪の毛等が支持部２８に到達することを抑制しつつ、この髪の毛等を連通溝３１に導入させることができる。そのため、支持部２８に髪の毛等が絡みつくことを抑制可能である。
【００４７】
又、上ケース１５がカバー部３５を有しているにも拘らず、前車輪２７の前部がカバー部３５で覆われることなく露出されている。このため、壁際の掃除において、吸込み口体１１が前進されるに伴い、掃除対象の室内の壁にバンパー２０が押し当たった直後に、カバー部３５の外部に位置する前車輪２７の前部が前記室内の壁に押し当たる。この場合、前車輪２７の周部２７ａは軟質材料であるので、その弾性変形により前記室内の壁が傷付くことを防止できる。なお、カバー部３５が前記室内の壁に押し当たる場合には、カバー部３５が硬質な合成樹脂製であると、前記室内の壁が傷付く恐れがある。
【００４８】
これとともに、カバー部３５の前車輪周面に正対している部位の幅が前車輪２７の幅より小さいので、例えば壁際に沿わせて移動させる場合のように吸込み口体１１をその長手方向(左右方向)に移動させるに伴って、吸込み口体１１の長手方向の端が前記室内の壁に押し当たった場合にも、前車輪２７の周部２７ａの弾性変形により前記室内の壁が傷付くことを防止できる。
【００４９】
図１０を参照して本発明の第２の実施の形態を説明する。第２実施形態は、以下説明する事項以外は、図１０に示されない部分を含めて第１実施形態と同じである。このため、第１実施形態と同一乃至は同様な構成については第１実施形態と同一符号を付して説明を省略する。
【００５０】
第２実施形態では回転体として前車輪に代えて回転ブラシ１２７が用いられている。この回転ブラシ１２７は、その周部をなすブラシ毛１２７ａを有している。ブラシ毛１２７ａは軟質であり、これが室内の壁に接しても壁が傷付く恐れがない。
【００５１】
第２実施形態では、吸込みヘッド１２の支持部２８に軸受２９が内蔵されていて、この軸受２９の支持軸２８ａが回転自在に支持されている。支持軸２８ａの一端部は、回転ブラシ１２７に挿入されて、回転ブラシ１２７内の軸連結部１２７ｂに固定されている。そのため、支持軸２８ａと回転ブラシ１２７とは一体に回転される。
【００５２】
支持軸２８ａの一端部と回転清掃体２３の回転軸２３ａとは、複数の歯車を噛み合わせてなる伝動機構４９により連結されている。したがって、回転清掃体２３の回転に連動して回転ブラシ１２７は回転されるようになっている。なお、回転清掃体２３を吸込みヘッド１２から外す際、伝動機構４９での歯車の噛み合いを外すことができる。
【００５３】
上ケース１５に一体に形成されたカバー部３５は、回転ブラシ１２７の回転に伴いブラシ毛１２７ａが被掃除面の塵を掻き出す側に設けられている。
【００５４】
以上説明した以外の構成は、図１０に示されない構成を含めて第１実施形態と同じであるので、この第２実施形態においても、第１実施形態で既に説明した理由により本発明の課題を解決できる。
【００５５】
しかも、第２実施形態の吸込み口体１１によれば、回転清掃体２３の回転に連動して回転ブラシ１２７が回転駆動されるので、回転ブラシ１２７の周部をなすブラシ毛１２７ａにより、被掃除面を磨くように掃除することができる。これとともに、カバー部３５と回転ブラシ１２７の周面との間に形成された第２の空隙Ｇ２を流通して第１の空隙Ｇ１に吸引される外気流れによって、ブラシ毛１２７ａにより掻き出された塵をカバー部３５で受けつつ、この塵を吸込み室１９に吸込むことができる。
【００５６】
なお、本発明では、図示しないが回転清掃体の回転に連動する回転体として、前記前車輪２７、又は拭き部材で周部が形成された磨き用回転体を、回転ブラシ１２７に代えて用いることもできる。磨き用回転体を用いる場合、その拭き部材は、磨き用回転体の回転に伴って被掃除面を磨くように擦って掃除することができる材料、例えば起毛布或いは布等から形成するとよい。
【００５７】
こうした吸込み口体の構成では、回転清掃体の回転に連動して磨き用回転体が回転駆動されて、その周部をなした拭き部材により、被掃除面を磨くように拭き掃除することができることは、第２実施形態と同じである。
【００５８】
図１１を参照して本発明の第３の実施の形態を説明する。第３実施形態は、以下説明する事項以外は、図１１に示されない部分を含めて第１実施形態と同じである。このため、第１実施形態と同一乃至は同様な構成については第１実施形態と同一符号を付して説明を省略する。
【００５９】
第３実施形態では、上ケース１５に一体に形成されたカバー部３５が、前車輪２７の前部周面から上端部周面にわたって設けられていて、前車輪２７の前部周面を覆っている。そのため、前車輪２７の後部周面はカバー部３５外に露出して配設されている。
【００６０】
以上説明した以外の構成は、図１１に示されない構成を含めて第１実施形態と同じであるので、この第３実施形態においても、第１実施形態で既に説明した理由により本発明の課題を解決できる。
【符号の説明】
【００６１】
１…電気掃除機、２…掃除機本体、２ｂ…吸塵口、５…吸塵風路体、６…吸塵ホース、７…延長管、１１…吸込み口体、１２…吸込みヘッド、１２ａ…吸込みヘッドの壁部、１９…吸込み室、２０…バンパー、２０ａ…バンパーの前端、２３…回転清掃体、２７…前車輪（回転体）、２７ａ…前車輪の周部、２７ｂ…前車輪の前端、２８…支持部、３１…連通溝、３１ａ…連通溝の一端、３１ｂ…連通溝の他端、３５…カバー部、４１…第１のシール材、４３…第２のシール材、１２７…回転ブラシ(回転体)、１２７ａ…回転ブラシの周部をなすブラシ毛、Ｇ１…第１の空隙、Ｇ２…第２の空隙、Ｗ１…前車輪（回転体）の幅、Ｗ２…カバー部の前車輪周面に正対した部位の幅
【図１】
2011041748.tif 000003
【図２】
2011041748.tif 000004
【図３】
2011041748.tif 000005
【図４】
2011041748.tif 000006
【図５】
2011041748.tif 000007
【図６】
2011041748.tif 000008
【図７】
2011041748.tif 000009
【図８】
2011041748.tif 000010
【図９】
2011041748.tif 000011
【図１０】
2011041748.tif 000012
【図１１】
2011041748.tif 000013